(57)【特許請求の範囲】
【請求項１】
上位層で所定の情報を解釈する上位層処理部と、
下りリンク制御情報と下りリンク共有チャネルを受信する受信部と、
前記下りリンク制御情報及び前記下りリンク共有チャネルを用いて、下りリンクデータを検出する信号検出部と、を備え、
前記所定の情報は、前記下りリンク制御情報を生成するための情報であり、
前記所定の情報が第１の情報を示す場合、前記下りリンク制御情報はリソース割当に関する情報を含み、
前記所定の情報が第２の情報を示す場合、前記下りリンク制御情報は前記リソース割当に関する情報及び干渉除去または抑圧するか否かの情報を含み、
前記信号検出部は、
前記干渉除去又は抑圧するか否かの情報が干渉除去または抑圧を指示する場合、自端末装置のレイヤ数とアンテナポート番号、及び、干渉信号のレイヤ数とアンテナポート番号に基づいて前記下りリンク共有チャネルを復調し、前記干渉除去又は抑圧するか否かの情報が干渉除去または抑圧を指示しない場合、前記自端末装置のレイヤ数とアンテナポート番号に基づいて前記下りリンク共有チャネルを復調する、端末装置。
【請求項２】
前記下りリンク制御情報は、所定の下りリンク制御情報フォーマットで生成される、請求項１に記載の端末装置。
【請求項３】
端末装置に実装される通信方法であって、
上位層で所定の情報を解釈する上位層処理課程と、
下りリンク制御情報と下りリンク共有チャネルを受信する受信課程と、
前記下りリンク制御情報及び前記下りリンク共有チャネルを用いて、下りリンクデータを検出する信号検出課程と、を備え、
前記所定の情報は、前記下りリンク制御情報を生成するための情報であり、
前記所定の情報が第１の情報を示す場合、前記下りリンク制御情報はリソース割当に関する情報を含み、
前記所定の情報が第２の情報を示す場合、前記下りリンク制御情報は前記リソース割当に関する情報及び干渉除去または抑圧するか否かの情報を含み、
前記信号検出課程では、
前記干渉除去又は抑圧するか否かの情報が干渉除去または抑圧を指示する場合、自端末装置のレイヤ数とアンテナポート番号、及び、干渉信号のレイヤ数とアンテナポート番号に基づいて前記下りリンク共有チャネルを復調し、前記干渉除去又は抑圧するか否かの情報が干渉除去または抑圧を指示しない場合、前記自端末装置のレイヤ数とアンテナポート番号に基づいて前記下りリンク共有チャネルを復調する、通信方法。
【請求項４】
前記下りリンク制御情報は、所定の下りリンク制御情報フォーマットで生成される、請求項３に記載の通信方法。
【発明の詳細な説明】
【技術分野】
【０００１】
本発明は、端末装置、基地局装置、および通信方法に関する。
【背景技術】
【０００２】
近年、スマートフォンやタブレット端末の普及に伴い、モバイル伝送におけるトラフィックは、指数的に増大を続けており、今後もさらに増大することが予想されている。このような無線トラフィックの増大の対策の１つとして、ヘテロジーニアスネットワーク（Heterogeneous Network）による基地局の高密度配置の検討が行なわれている。基地局の高密度配置は、マクロセル内に小電力基地局（Low Power Node: LPN）等を配置し、端末装置が小電力基地局に接続することで、マクロ基地局の負荷を軽減するものである。この時、セル間干渉（Inter-Cell Interference）が問題となる。【０００３】
また、セルスループットを向上させるために、複数の端末装置を空間多重するＭＵ−ＭＩＭＯ（Multi-User Multiple Input Multiple Output）の検討も行なわれている。ＭＵ−ＭＩＭＯでは、端末装置間の干渉（ユーザ間干渉）が問題となる。【０００４】
このようなセル間干渉やユーザ間干渉に対して、３ＧＰＰ（3rd Generation Partnership Project）では、端末装置が干渉信号を抑圧または除去するＮＡＩＣＳ（Network Assisted Interference Cancellation and Suppression）の検討が行なわれている。ＮＡＩＣＳでは、端末装置は、干渉となっている他の端末装置に関するパラメータを受け取り、前記パラメータを用いて干渉となっている他の端末装置宛の信号を検出し、干渉信号を除去する。これにより、端末装置は、自端末装置宛の所望信号を得る。ＮＡＩＣＳについては、非特許文献１に記載されている。
【先行技術文献】
【非特許文献】
【０００５】
【非特許文献１】ＲＰ−１３０４０４、“Ｓｔｕｄｙ  ｏｎ  Ｎｅｔｗｏｒｋ−Ａｓｓｉｓｔｅｄ  Ｉｎｔｅｒｆｅｒｅｎｃｅ  Ｃａｎｃｅｌｌａｔｉｏｎ  ａｎｄ  Ｓｕｐｐｒｅｓｓｉｏｎ  ｆｏｒ  ＬＴＥ、”  ３ＧＰＰ  ＴＳＧ  ＲＡＮ  Ｍｅｅｔｉｎｇ  ＃５９、２０１３年  ３月。
【発明の概要】
【発明が解決しようとする課題】
【０００６】
端末装置が干渉信号を除去または抑圧するためには、干渉信号の情報が必要となる。しかしながら、基地局装置が端末装置に、干渉信号の情報を送信すると制御信号が増大するため、スループットが劣化するという問題がある。【０００７】
本発明はこのような事情を鑑みてなされたものであり、その目的は、干渉信号の制御情報を抑圧しつつスループットの改善が可能な端末装置、基地局装置、および通信方法を提供することにある。
【課題を解決するための手段】
【０００８】
上述した課題を解決するために本発明に係る端末装置、基地局装置、および通信方法の構成は、次の通りである。【０００９】
本発明の端末装置は、前記基地局装置からＮＡＩＣＳ情報を設定される上位層と、下りリンク制御情報を受信する受信部と、前記ＮＡＩＣＳ情報が設定された場合には、前記下りリンク制御情報に含まれる干渉除去または抑圧するか否かを示す情報に基づいて干渉除去または抑圧するか否かを判断する制御部と、を備える。【００１０】
また、本発明の端末装置において、前記受信部は、前記干渉除去または抑圧するか否かを示す情報を含む下りリンク制御情報を、ユーザ固有サーチスペースで受信する。【００１１】
また、本発明の端末装置において、前記制御部は、前記干渉除去または抑圧する否かを示す情報が否を示す場合、自端末装置宛の信号の制御情報のみを用いて信号検出を行なう。【００１２】
本発明の基地局装置は、端末装置と通信する基地局装置であって、前記端末装置にＮＡＩＣＳ情報を設定する上位層と、前記ＮＡＩＣＳ情報が設定された場合、干渉除去または抑圧するか否かを示す情報を含む下りリンク制御情報を送信する送信部と、を備える。【００１３】
また、本発明の基地局装置において、前記送信部は、前記下りリンク制御情報をユーザ固有サーチスペースに割当てる場合に、前記干渉除去または抑圧するか否かを示す情報を前記下りリンク制御情報に含める。【００１４】
本発明の通信方法は、基地局装置と通信する端末装置における通信方法であって、前記基地局装置からＮＡＩＣＳ情報を上位層で設定される過程と、下りリンク制御情報を受信する受信過程と、前記上位層でＮＡＩＣＳを適用する旨が指示された場合には、前記下りリンク制御情報に含まれる干渉除去または抑圧するか否かを示す情報に基づいて干渉除去または抑圧するか否かを判断する制御過程と、を備える。【００１５】
本発明の通信方法は、端末装置と通信する基地局装置における通信方法であって、前記端末装置にＮＡＩＣＳ情報を上位層で設定する過程と、前記ＮＡＩＣＳ情報が設定された場合、干渉除去または抑圧するか否かを示す情報を含む下りリンク制御情報を送信する送信過程と、を備える。
【発明の効果】
【００１６】
本発明によれば、端末装置は、干渉信号の制御情報を抑圧しつつスループットを改善することができる。
【図面の簡単な説明】
【００１７】
【図１】本実施形態に係る通信システムの例を示す図である。
【図２】本実施形態における基地局装置１の構成を示す概略ブロック図である。
【図３】制御部１０２が下りリンク制御情報を設定する処理の流れを示す図である。
【図４】本実施形態における端末装置２の構成を示す概略ブロック図である。
【図５】多重分離部２０４２と信号検出部２０４３の処理の流れを示す図である。
【発明を実施するための形態】
【００１８】
本実施形態における通信システムは、基地局装置（送信装置、セル、送信点、送信アンテナ群、送信アンテナポート群、コンポーネントキャリア、eNodeB）および端末装置（端末、移動端末、受信点、受信端末、受信装置、受信アンテナ群、受信アンテナポート群、UE）を備える。
【００１９】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００２０】
図１は、本実施形態に係る通信システムの例を示す図である。図１に示すように、本実施形態における通信システムは、基地局装置１、端末装置２Ａ、２Ｂを備える。また、カバレッジ１−１は、基地局装置１が端末装置と接続可能な範囲（通信エリア）である。以下では、端末装置２Ａ、２Ｂを端末装置２とも記載する。
【００２１】
図１において、基地局装置１は、端末装置２Ａ宛の信号と端末装置２Ｂ宛の信号とを空間多重する。端末装置２における受信信号は、自端末装置（第１の端末装置とも称する）宛の所望信号と、干渉となる端末装置（第２の端末装置とも称する）宛の信号とを含む。具体的には、端末装置２Ａにおける受信信号は、基地局装置１から送信された自端末装置宛の所望信号と端末装置２Ｂ宛の信号である干渉信号とを含む。また、端末装置２Ｂにおける受信信号は、基地局装置１から送信された自端末装置宛の所望信号と端末装置２Ａ宛の信号である干渉信号とを含む。このように、本実施形態では、基地局装置が複数の端末装置を空間多重することによって、端末装置がユーザ間干渉を受ける場合であればよく、図１の通信システムに限定されない。
【００２２】
図１において、端末装置２から基地局装置１への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２３】
ＰＵＣＣＨは、上りリンク制御情報（Uplink Control Information: UCI）を送信するために用いられる。ここで、上りリンク制御情報は、下りリンクデータ（下りリンクトランスポートブロック、Downlink-Shared Channel: DL-SCH）に対するＡＣＫ（a positive acknowledgement）またはＮＡＣＫ（a negative acknowledgement）（ACK/NACK）を含む。下りリンクデータに対するＡＣＫ／ＮＡＣＫを、ＨＡＲＱ−ＡＣＫ、ＨＡＲＱフィードバックとも称する。
【００２４】
また、上りリンク制御情報は、下りリンクに対するチャネル状態情報（Channel State Information: CSI）を含む。また、上りリンク制御情報は、上りリンク共用チャネル（Uplink-Shared Channel: UL-SCH）のリソースを要求するために用いられるスケジューリング要求（Scheduling Request: SR）を含む。
【００２５】
ＰＵＳＣＨは、上りリンクデータ（上りリンクトランスポートブロック、UL-SCH）を送信するために用いられる。また、ＰＵＳＣＨは、上りリンクデータと共に、ＡＣＫ／ＮＡＣＫおよび／またはチャネル状態情報を送信するために用いられても良い。また、ＰＵＳＣＨは、上りリンク制御情報のみを送信するために用いられても良い。
【００２６】
また、ＰＵＳＣＨは、ＲＲＣメッセージを送信するために用いられる。ＲＲＣメッセージは、無線リソース制御（Radio Resource Control: RRC）層において処理される情報／信号である。また、ＰＵＳＣＨは、ＭＡＣ  ＣＥ（Control Element）を送信するために用いられる。ここで、ＭＡＣ  ＣＥは、媒体アクセス制御（MAC: Medium Access Control）層において処理（送信）される情報／信号である。
【００２７】
例えば、パワーヘッドルームは、ＭＡＣ  ＣＥに含まれ、ＰＵＳＣＨを経由して報告されても良い。すなわち、ＭＡＣ  ＣＥのフィールドが、パワーヘッドルームのレベルを示すために用いられても良い。
【００２８】
ＰＲＡＣＨは、ランダムアクセスプリアンブルを送信するために用いられる。
【００２９】
また、上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。ここで、上りリンク参照信号には、ＤＭＲＳ（Demodulation Reference Signal）、ＳＲＳ（Sounding Reference Signal）が含まれる。
【００３０】
ＤＭＲＳは、ＰＵＳＣＨまたはＰＵＣＣＨの送信に関連する。例えば、基地局装置１は、ＰＵＳＣＨまたはＰＵＣＣＨの伝搬路補正を行なうためにＤＭＲＳを使用する。ＳＲＳは、ＰＵＳＣＨまたはＰＵＣＣＨの送信に関連しない。例えば、基地局装置１は、上りリンクのチャネル状態を測定するためにＳＲＳを使用する。
【００３１】
図１において、基地局装置１から端末装置２への下りリンクの無線通信では、以下の下りリンク物理チャネルが用いられる。下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
【００３２】
ＰＢＣＨは、端末装置２で共通に用いられるマスターインフォメーションブロック（Master Information Block: MIB, Broadcast Channel: BCH）を報知するために用いられる。ＰＣＦＩＣＨは、ＰＤＣＣＨの送信に用いられる領域（例えば、ＯＦＤＭシンボルの数）を指示する情報を送信するために用いられる。
【００３３】
ＰＨＩＣＨは、基地局装置１が受信した上りリンクデータに対するＡＣＫ／ＮＡＣＫを送信するために用いられる。すなわち、ＰＨＩＣＨは、上りリンクデータに対するＡＣＫ／ＮＡＣＫを示すＨＡＲＱインディケータ（HARQフィードバック）を送信するために用いられる。
【００３４】
ＰＤＣＣＨおよびＥＰＤＣＣＨは、下りリンク制御情報（Downlink Control Information: DCI）を送信するために用いられる。ここで、下りリンク制御情報の送信に対して、複数のＤＣＩフォーマットが定義される。すなわち、下りリンク制御情報に対するフィールドがＤＣＩフォーマットに定義され、情報ビットへマップされる。
【００３５】
例えば、下りリンクに対するＤＣＩフォーマットとして、１つのセルにおける１つのＰＤＳＣＨ（１つの下りリンクトランスポートブロックの送信）のスケジューリングに使用されるＤＣＩフォーマット１Ａが定義される。
【００３６】
例えば、下りリンクに対するＤＣＩフォーマットには、ＰＤＳＣＨのリソース割り当てに関する情報、ＰＤＳＣＨに対するＭＣＳ（Modulation and Coding Scheme）に関する情報、ＰＵＣＣＨに対するＴＰＣコマンドなどの下りリンク制御情報が含まれる。ここで、下りリンクに対するＤＣＩフォーマットを、下りリンクグラント（または、下りリンクアサインメント）とも称する。
【００３７】
また、例えば、上りリンクに対するＤＣＩフォーマットとして、１つのセルにおける１つのＰＵＳＣＨ（１つの上りリンクトランスポートブロックの送信）のスケジューリングに使用されるＤＣＩフォーマット０が定義される。
【００３８】
例えば、上りリンクに対するＤＣＩフォーマットには、ＰＵＳＣＨのリソース割り当てに関する情報、ＰＵＳＣＨに対するＭＣＳに関する情報、ＰＵＳＣＨに対するＴＰＣコマンドなど上りリンク制御情報が含まれる。上りリンクに対するＤＣＩフォーマットを、上りリンクグラント（または、上りリンクアサインメント）とも称する。
【００３９】
端末装置２は、下りリンクアサインメントを用いてＰＤＳＣＨのリソースがスケジュールされた場合、スケジュールされたＰＤＳＣＨで下りリンクデータを受信する。また、端末装置２は、上りリンクグラントを用いてＰＵＳＣＨのリソースがスケジュールされた場合、スケジュールされたＰＵＳＣＨで上りリンクデータおよび／または上りリンク制御情報を送信する。
【００４０】
ＰＤＳＣＨは、下りリンクデータ（下りリンクトランスポートブロック、DL-SCH）を送信するために用いられる。また、ＰＤＳＣＨは、システムインフォメーションブロックタイプ１メッセージを送信するために用いられる。システムインフォメーションブロックタイプ１メッセージは、セルスペシフィック（セル固有）な情報である。
【００４１】
また、ＰＤＳＣＨは、システムインフォメーションメッセージを送信するために用いられる。システムインフォメーションメッセージは、システムインフォメーションブロックタイプ１以外のシステムインフォメーションブロックＸを含む。システムインフォメーションメッセージは、セルスペシフィック（セル固有）な情報である。
【００４２】
また、ＰＤＳＣＨは、ＲＲＣメッセージを送信するために用いられる。ここで、基地局装置１から送信されるＲＲＣメッセージは、セル内における複数の端末装置２に対して共通であっても良い。また、基地局装置１から送信されるＲＲＣメッセージは、ある端末装置２に対して専用のメッセージ（dedicated signalingとも称する）であっても良い。すなわち、ユーザ装置スペシフィック（ユーザ装置固有）な情報は、ある端末装置２に対して専用のメッセージを使用して送信される。また、ＰＤＳＣＨは、ＭＡＣ  ＣＥを送信するために用いられる。
【００４３】
ここで、ＲＲＣメッセージおよび／またはＭＡＣ  ＣＥを、上位層の信号（higher layer signaling）とも称する。
【００４４】
また、下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００４５】
同期信号は、端末装置２が、下りリンクの周波数領域および時間領域の同期を取るために用いられる。また、下りリンク参照信号は、端末装置２が、下りリンク物理チャネルの伝搬路補正を行なうために用いられる。例えば、下りリンク参照信号は、端末装置２が、下りリンクのチャネル状態情報を算出するために用いられる。
【００４６】
ここで、下りリンク参照信号には、ＣＲＳ（Cell-specific Reference Signal）、ＰＤＳＣＨに関連するＵＲＳ（UE-specific Reference Signal）、ＥＰＤＣＣＨに関連するＤＭＲＳ（Demodulation Reference Signal）、ＮＺＰ  ＣＳＩ−ＲＳ（Non-Zero Power Chanel State Information-Reference Signal）、ＺＰ  ＣＳＩ−ＲＳ（Zero Power Chanel State Information-Reference Signal）が含まれる。
【００４７】
ＣＲＳは、サブフレームの全帯域で送信され、ＰＢＣＨ／ＰＤＣＣＨ／ＰＨＩＣＨ／ＰＣＦＩＣＨ／ＰＤＳＣＨの復調を行なうために用いられる。ＰＤＳＣＨに関連するＵＲＳは、ＵＲＳが関連するＰＤＳＣＨの送信に用いられるサブフレームおよび帯域で送信され、ＵＲＳが関連するＰＤＳＣＨの復調を行なうために用いられる。
【００４８】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。
【００４９】
ＮＺＰ  ＣＳＩ−ＲＳのリソースは、基地局装置１によって設定される。例えば、端末装置２は、ＮＺＰ  ＣＳＩ−ＲＳを用いて信号の測定（チャネルの測定）を行なう。ＺＰ  ＣＳＩ−ＲＳのリソースは、基地局装置１によって設定される。基地局装置１は、ＺＰ  ＣＳＩ−ＲＳをゼロ出力で送信する。例えば、端末装置２は、ＮＺＰ  ＣＳＩ−ＲＳが対応するリソースにおいて干渉の測定を行なう。
【００５０】
ここで、下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００５１】
また、ＢＣＨ、ＵＬ−ＳＣＨおよびＤＬ−ＳＣＨは、トランスポートチャネルである。ＭＡＣ層で用いられるチャネルを、トランスポートチャネルと称する。また、ＭＡＣ層で用いられるトランスポートチャネルの単位を、トランスポートブロック（Transport Block: TB）、または、ＭＡＣ  ＰＤＵ（Protocol Data Unit）とも称する。トランスポートブロックは、ＭＡＣ層が物理層に渡す（deliverする）データの単位である。物理層において、トランスポートブロックはコードワードにマップされ、コードワード毎に符号化処理などが行なわれる。
【００５２】
図２は、本実施形態における基地局装置１の構成を示す概略ブロック図である。図２に示すように、基地局装置１は、上位層処理部１０１、制御部１０２、送信部１０３、受信部１０４と送受信アンテナ１０５を含んで構成される。また、上位層処理部１０１は、無線リソース制御部１０１１、スケジューリング部１０１２、および、ＮＡＩＣＳ情報生成部１０１３を含んで構成される。また、送信部１０３は、符号化部１０３１、変調部１０３２、下りリンク参照信号生成部１０３３、多重部１０３４、無線送信部１０３５を含んで構成される。また、受信部１０４は、無線受信部１０４１、多重分離部１０４２、復調部１０４３、復号部１０４４を含んで構成される。
【００５３】
上位層処理部１０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１は、送信部１０３および受信部１０４の制御を行なうために必要な情報を生成し、制御部１０２に出力する。
【００５４】
無線リソース制御部１０１１は、下りリンクのＰＤＳＣＨに配置される下りリンクデータ（トランスポートブロック）、システムインフォメーション、ＲＲＣメッセージ、ＭＡＣ  ＣＥなどを生成し、又は上位ノードから取得する。無線リソース制御部１０１１は、下りリンクデータを送信部１０３に出力し、他の情報を制御部１０２に出力する。また、無線リソース制御部１０１１は、端末装置２の各種設定情報の管理をする。
【００５５】
スケジューリング部１０１２は、物理チャネル（PDSCHおよびPUSCH）を割り当てる周波数およびサブフレーム、物理チャネル（PDSCHおよびPUSCH）の符号化率および変調方式（あるいはMCS）および送信電力などを決定する。スケジューリング部１０１２は、決定した情報を制御部１０２に出力する。
【００５６】
スケジューリング部１０１２は、スケジューリング結果に基づき、物理チャネル（PDSCHおよびPUSCH）のスケジューリングに用いられる情報を生成する。スケジューリング部１０１２は、生成した情報を制御部１０２に出力する。本実施形態では、一例として、スケジューリング部１０１２は、端末装置２Ａおよび端末装置２Ｂを同じリソースにスケジューリングする。なお、本実施形態では簡単のため、同じリソースとしたが、端末装置２Ｂのリソース割り当てを端末装置２Ａが取得することができるといった条件で、異なるリソースにスケジューリングしても良い。
【００５７】
ＮＡＩＣＳ情報生成部１０１３は、ＮＡＩＣＳ情報を生成し、制御部１０２に出力する。ＮＡＩＣＳ情報は、基地局装置１が端末装置２に対して、ＮＡＩＣＳによる干渉信号の除去または抑圧を指示するか否かを示す情報である。ＮＡＩＣＳ情報は、基地局装置１が端末装置２の下りリンク制御情報を生成する際に用いられる。例えば、端末装置２ＡのＮＡＩＣＳ情報がＮＡＩＣＳを指示する旨を表す場合、基地局装置１は、端末装置２ＡがＮＡＩＣＳによる受信処理を行なうために必要な情報が含まれるように端末装置２Ａの下りリンク制御情報を生成することができる。なお、ＮＡＩＣＳ情報生成部１０１３は、端末装置２から通知された端末情報に含まれる情報に基づいてＮＡＩＣＳ情報を生成しても良いし、端末情報に従わずに基地局装置１が生成しても良い。例えば、基地局装置１が下りリンク制御情報として干渉となる端末装置に関する情報を通知する場合に、ＮＡＩＣＳ情報生成部１０１３は、ＮＡＩＣＳを指示する端末装置の数と、下りリンク制御情報として通知する端末装置の数とが一致するようにＮＡＩＣＳ情報を生成しても良い。また、ＮＡＩＣＳ情報は、ＮＡＩＣＳ方式を用いる場合に限定されず、干渉信号を除去または抑圧する方式を用いる場合であれば適用可能である。
【００５８】
制御部１０２は、上位層処理部１０１から入力された情報に基づいて、送信部１０３および受信部１０４の制御を行なう制御信号を生成する。また、制御部１０２は、上位層処理部１０１から入力された情報に基づいて、ＭＣＳを決定する。また、制御部１０２は、上位層処理部１０１から入力された情報に基づいて、コードワード数を決定する。また、制御部１０２は、上位層処理部１０１から入力された情報に基づいて、レイヤ数、アンテナポート番号、スクランブリングアイデンティティ（スクランブリング識別子、scrambling identity）を決定する。
【００５９】
制御部１０２は、上位層処理部１０１から入力された情報に基づいて、下りリンク制御情報を生成し、送信部１０３に出力する。制御部１０２は、ＮＡＩＣＳ情報がＮＡＩＣＳを指示する旨を表す場合、下りリンク制御情報に干渉除去または抑圧するか否かを示す情報を含めることができる。制御部１０２は、下りリンク制御情報をユーザ固有サーチスペース（UE-specific Search Space、USS）に割り当てる場合、干渉除去または抑圧するか否かを示す情報を下りリンク制御情報に含めることができる。また、制御部１０２は、干渉除去または抑圧するか否かを示す情報が含まれるＤＣＩ  ｆｏｒｍａｔを用いて下りリンク制御情報を生成することができる。なお、下りリンク制御情報にＮＡＩＣＳ情報を含めても良い。
【００６０】
送信部１０３は、制御部１０２から入力された制御信号に従って、下りリンク参照信号を生成し、上位層処理部１０１から入力されたＨＡＲＱインディケータ、下りリンク制御情報、および、下りリンクデータを、符号化および変調し、ＰＨＩＣＨ、ＰＤＣＣＨ、ＥＰＤＣＣＨ、ＰＤＳＣＨ、および下りリンク参照信号を多重して、送受信アンテナ１０５を介して端末装置２に信号を送信する。
【００６１】
符号化部１０３１は、上位層処理部１０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部１０１１が決定した符号化方式を用いて符号化を行なう。変調部１０３２は、符号化部１０３１から入力された符号化ビットをＢＰＳＫ（Binary Phase Shift Keying）、ＱＰＳＫ（quadrature Phase Shift Keying）、１６ＱＡＭ（quadrature amplitude modulation）、６４ＱＡＭ、２５６ＱＡＭ等の予め定められた、または無線リソース制御部１０１１が決定した変調方式で変調する。
【００６２】
下りリンク参照信号生成部１０３３は、基地局装置１を識別するための物理セル識別子（PCI）などを基に予め定められた規則で求まる、端末装置２が既知の系列を下りリンク参照信号として生成する。また、下りリンク参照信号生成部１０３３は、スクランブリングアイデンティティに基づいてＤＭＲＳを生成することができる。
【００６３】
多重部１０３４は、変調された各チャネルの変調シンボルと生成された下りリンク参照信号と下りリンク制御情報とを多重する。つまり、多重部１０３４は、変調された各チャネルの変調シンボルと生成された下りリンク参照信号と下りリンク制御情報とをリソースエレメントに配置する。
【００６４】
無線送信部１０３５は、多重された変調シンボルなどを逆高速フーリエ変換（Inverse Fast Fourier Transform: IFFT）して、ＯＦＤＭ方式の変調を行ない、ＯＦＤＭ変調されたＯＦＤＭシンボルにサイクリックプリフィックス（Cyclic Prefix: CP）を付加し、ベースバンドのディジタル信号を生成する。無線送信部１０３５は、フィルタリング、ＤＡ（Digital-to-Analog）変換、周波数変換、電力増幅等を用いることで、生成したベースバンドのディジタル信号を所望帯域のアナログ信号に変換する。無線送信部１０３５は、生成したアナログ信号を送受信アンテナ１０５に出力して送信する。
【００６５】
受信部１０４は、制御部１０２から入力された制御信号に従って、送受信アンテナ１０５を介して端末装置２から受信した受信信号を分離、復調、復号し、復号した情報を上位層処理部１０１に出力する。
【００６６】
無線受信部１０４１は、周波数変換、フィルタリング、ＡＤ（Analog-to-Digital）変換、振幅制御等を用いることで、送受信アンテナ１０５を介して受信された上りリンクの信号をベースバンドのディジタル信号に変換する。
【００６７】
無線受信部１０４１は、変換したディジタル信号からＣＰに相当する部分を除去する。無線受信部１０４１は、ＣＰを除去した信号に対して高速フーリエ変換（Fast Fourier Transform: FFT）を行ない、周波数領域の信号を抽出し多重分離部１０４２に出力する。
【００６８】
多重分離部１０４２は、無線受信部１０４１から入力された信号をＰＵＣＣＨ、ＰＵＳＣＨ、上りリンク参照信号などの信号に分離する。なお、この分離は、予め基地局装置１が無線リソース制御部１０１１で決定し、各端末装置２に通知した上りリンクグラントに含まれる無線リソースの割り当て情報に基づいて行なわれる。
【００６９】
また、多重分離部１０４２は、ＰＵＣＣＨとＰＵＳＣＨの伝搬路の補償を行なう。また、多重分離部１０４２は、上りリンク参照信号を分離する。
【００７０】
復調部１０４３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ、ＱＰＳＫ、１６ＱＡＭ、６４ＱＡＭ、２５６ＱＡＭ等の予め定められた、または自装置が端末装置２各々に上りリンクグラントで予め通知した変調方式を用いて受信信号の復調を行なう。なお、逆離散フーリエ変換は、ＰＵＳＣＨのサブキャリア数に応じた逆高速フーリエ変換であっても良い。
【００７１】
復号部１０４４は、復調されたＰＵＣＣＨとＰＵＳＣＨの符号化ビットを、予め定められた符号化方式の、予め定められた、又は自装置が端末装置２に上りリンクグラントで予め通知した符号化率で復号を行ない、復号した上りリンクデータと、上りリンク制御情報を上位層処理部１０１へ出力する。ＰＵＳＣＨが再送信の場合は、復号部１０４４は、上位層処理部１０１から入力されるＨＡＲＱバッファに保持している符号化ビットと、復調された符号化ビットを用いて復号を行なう。
【００７２】
図３は、制御部１０２が端末装置２Ａと端末装置２Ｂの下りリンク制御情報を設定する処理の流れを示す図である。
【００７３】
Ｓ３０１において、制御部１０２は、ＮＡＩＣＳ情報がＮＡＩＣＳを指示する旨を示す端末装置が存在するかどうかを判断する。
【００７４】
Ｓ３０２において、制御部１０２は、ＮＡＩＣＳを指示された端末装置に干渉除去または抑圧を指示するか否かを判断する。
【００７５】
Ｓ３０３において、制御部１０２は、干渉除去または抑圧を指示する情報と、ＮＡＩＣＳを指示された端末装置宛の信号と干渉信号の各々の情報を、前記端末装置宛の下りリンク制御情報に含める。
【００７６】
Ｓ３０４において、制御部１０２は、干渉除去または抑圧を指示しない情報と、ＮＡＩＣＳを指示された端末装置宛の信号の情報を、前記端末装置宛の下りリンク制御情報に含める。
【００７７】
Ｓ３０５において、制御部１０２は、各端末装置宛の信号の情報を、前記端末装置宛の下りリンク制御情報に含める。
【００７８】
Ｓ３０６において、送信部１０３は、各端末装置に、下りリンク制御情報を送信する。
【００７９】
図４は、本実施形態における端末装置２の構成を示す概略ブロック図である。図４に示すように、端末装置２は、上位層処理部２０１、制御部２０２、送信部２０３、受信部２０４と送受信アンテナ２０５を含んで構成される。また、上位層処理部２０１は、無線リソース制御部２０１１、スケジューリング情報解釈部２０１２、および、ＮＡＩＣＳ情報解釈部２０１３を含んで構成される。また、送信部２０３は、符号化部２０３１、変調部２０３２、上りリンク参照信号生成部２０３３、多重部２０３４、無線送信部２０３５を含んで構成される。また、受信部２０４は、無線受信部２０４１、多重分離部２０４２、信号検出部２０４３を含んで構成される。
【００８０】
上位層処理部２０１は、ユーザの操作等によって生成された上りリンクデータ（トランスポートブロック）を、送信部２０３に出力する。また、上位層処理部２０１は、媒体アクセス制御（Medium Access Control: MAC）層、パケットデータ統合プロトコル（PacketData Convergence Protocol: PDCP）層、無線リンク制御（Radio Link Control: RLC）層、無線リソース制御（Radio Resource Control: RRC）層の処理を行なう。
【００８１】
無線リソース制御部２０１１は、自端末装置の各種設定情報の管理をする。また、無線リソース制御部２０１１は、上りリンクの各チャネルに配置される情報を生成し、送信部２０３に出力する。
【００８２】
スケジューリング情報解釈部２０１２は、受信部２０４を介して受信した下りリンク制御情報を解釈し、スケジューリング情報を判定する。また、スケジューリング情報解釈部２０１２は、スケジューリング情報に基づき、受信部２０４、および送信部２０３の制御を行なうために制御情報を生成し、制御部２０２に出力する。
【００８３】
ＮＡＩＣＳ情報解釈部２０１３は、受信部２０４を介して受信したＮＡＩＣＳ情報を解釈し、ＮＡＩＣＳ指示があるか否かを判定する。また、ＮＡＩＣＳ情報解釈部２０１３は、ＮＡＩＣＳ情報の判定結果を制御部２０２に出力する。なお、ＮＡＩＣＳ情報解釈部２０１３は、端末装置２の状況（受信品質等）によって、ＮＡＩＣＳ情報の判定結果を決定しても良い。
【００８４】
また、ＮＡＩＣＳ情報解釈部２０１３は、端末情報を生成し、制御部２０２に出力する。なお、端末情報は、端末装置２が有する機能に関する情報である。例えば、端末装置２がＮＡＩＣＳの機能を有するか否かを示す情報でも良いし、端末装置２がＮＡＩＣＳの機能を有するか否かに関わらず、受信品質等を考慮してＮＡＩＣＳを行なうか否かを決定した情報でも良い。
【００８５】
制御部２０２は、上位層処理部２０１から入力された情報に基づいて、受信部２０４、および送信部２０３の制御を行なう制御信号を生成する。制御部２０２は、生成した制御信号を受信部２０４、および送信部２０３に出力して受信部２０４、および送信部２０３の制御を行なう。制御部２０２は、ＮＡＩＣＳ情報の判定結果を受信部２０４に出力し、端末情報等を含む上りリンク制御情報および上りリンクデータを送信部２０３に出力する。
【００８６】
制御部２０２は、受信部２０４を介して受信した下りリンク制御情報をＮＡＩＣＳ情報の判定結果と、前記下りリンク制御情報が含むことができる干渉除去または抑圧するか否かの情報に基づいて解釈する。例えば、干渉除去または抑圧するか否かの情報は、ユーザ固有サーチスペースから解釈することができる。
【００８７】
例えば、ＮＡＩＣＳ情報がＮＡＩＣＳを指示する旨を表し、干渉除去または抑圧するか否かの情報が干渉除去または抑圧を指示する旨を表す場合、制御部２０２は、自端末装置宛を信号検出するための情報と、干渉信号を除去または抑圧するための情報を判断することができる。
【００８８】
例えば、ＮＡＩＣＳ情報がＮＡＩＣＳを指示する旨を表し、下りリンク制御情報が含むことができる干渉除去または抑圧するか否かを示す情報が否を表す場合、端末装置は自端末装置宛の制御情報だけを判断することができる。このようにすることで、干渉信号の制御情報に用いられる情報を自端末装置宛に割当てることができ、スループットを改善することができる。
【００８９】
受信部２０４は、制御部２０２から入力された制御信号に従って、送受信アンテナ２０５を介して基地局装置１から受信した受信信号を、分離、復調、復号し、復号した情報を上位層処理部２０１に出力する。
【００９０】
無線受信部２０４１は、周波数変換、フィルタリング、ＡＤ変換、振幅制御等を用いることで、送受信アンテナ２０５を介して受信された上りリンクの信号をベースバンドのディジタル信号に変換する。
【００９１】
また、無線受信部２０４１は、変換したディジタル信号からＣＰに相当する部分を除去し、ＣＰを除去した信号に対して高速フーリエ変換を行ない、周波数領域の信号を抽出する。
【００９２】
多重分離部２０４２は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部２０４２は、チャネル測定から得られた所望信号のチャネルの推定値に基づいて、ＰＨＩＣＨ、ＰＤＣＣＨ、およびＥＰＤＣＣＨのチャネルの補償を行ない、下りリンク制御情報を検出し、制御部２０２に出力する。また、制御部２０２は、ＰＤＳＣＨおよび所望信号のチャネル推定値を信号検出部２０４３に出力する。なお、チャネル推定は制御部２０２から入力される自端末宛のレイヤ数、アンテナポート番号、スクランブリングアイデンティティに基づいて行なう。
【００９３】
また、多重分離部２０４２は、ＮＡＩＣＳ指示がある場合、制御部２０２から入力される干渉信号のレイヤ数、アンテナポート番号、スクランブリングアイデンティティに基づいて干渉信号のチャネル推定を行なう。多重分離部２０４２は、干渉信号のチャネル推定値を信号検出部２０４３に出力する。
【００９４】
信号検出部２０４３は、ＰＤＳＣＨ、チャネル推定値、およびＮＡＩＣＳ情報の判定結果、干渉除去または抑圧するか否かを示す情報を用いて、下りリンクデータ（トランスポートブロック）を検出し、上位層処理部２０１に出力する。信号検出部２０４３は、ＮＡＩＣＳ情報の判定結果がＮＡＩＣＳを指示する旨を示しており、干渉除去または抑圧するか否かを示す情報が干渉除去または抑圧を指示する旨を示している場合、多重分離部２０４２から入力されるチャネル推定値と、制御部２０２から入力される干渉信号のレイヤ数、アンテナポート番号に基づいて干渉信号の除去および抑圧を行なう。なお、干渉信号を除去または抑圧する方法は、干渉信号に関するパラメータを必要とする方法であればよく、線形検出、最尤推定、干渉キャンセラ等である。線形検出は、ＬＭＭＳＥ−ＩＲＣ（Linear Minimum Mean Square Error-Interference Rejection Combining）、Ｅｎｈａｎｃｅｄ  ＬＭＭＳＥ−ＩＲＣ、ＷＬＭＭＳＥ−ＩＲＣ(Widely Linear MMSE-IRC)等である。最尤推定は、ＭＬ(Maximum Likelihood)、Ｒ−ＭＬ(Reduced complexity ML)、Ｉｔｅｒａｔｉｖｅ  ＭＬ、Ｉｔｅｒａｔｉｖｅ  Ｒ−ＭＬ等である。干渉キャンセラは、Ｔｕｒｂｏ  ＳＩＣ（Successive Interference Cancellation）、ＰＩＣ（Parallel Interference Cancellation）、Ｌ−ＣＷＩＣ（Linear Code Word level SIC）、ＭＬ−ＣＷＩＣ（MLCode Word level SIC）、ＳＬＩＣ（Symbol Level IC）、等である。このようにすることで、スループットを改善することができる。
【００９５】
また、信号検出部２０４３は、ＮＡＩＣＳ情報の判定結果がＮＡＩＣＳを指示する旨を示しており、干渉除去または抑圧するか否かを示す情報が否を示している場合、干渉除去を伴わない信号検出を行なうことができる。その際、自端末装置宛の制御情報だけを判断することができる。このようにすると、自端末装置宛の信号の制御情報を増加させることができ、スループットを改善することができる。
【００９６】
送信部２０３は、制御部２０２から入力された制御信号に従って、上りリンク参照信号を生成し、上位層処理部２０１から入力された上りリンクデータ（トランスポートブロック）を符号化および変調し、ＰＵＣＣＨ、ＰＵＳＣＨ、および生成した上りリンク参照信号を多重し、送受信アンテナ２０５を介して基地局装置１に送信する。
【００９７】
符号化部２０３１は、上位層処理部２０１から入力された上りリンク制御情報を畳み込み符号化、ブロック符号化等の符号化を行なう。また、符号化部２０３１は、ＰＵＳＣＨのスケジューリングに用いられる情報に基づきターボ符号化を行なう。
【００９８】
変調部２０３２は、符号化部２０３１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【００９９】
上りリンク参照信号生成部２０３３は、基地局装置１を識別するための物理セル識別子（physical cell identity: PCI、Cell IDなどと称される）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【０１００】
多重部２０３４は、制御部２０２から入力された制御信号に従って、ＰＵＳＣＨの変調シンボルを並列に並び替えてから離散フーリエ変換（Discrete Fourier Transform: DFT）する。また、多重部２０３４は、ＰＵＣＣＨとＰＵＳＣＨの信号と生成した上りリンク参照信号を送信アンテナポート毎に多重する。つまり、多重部２０３４は、ＰＵＣＣＨとＰＵＳＣＨの信号と生成した上りリンク参照信号を送信アンテナポート毎にリソースエレメントに配置する。なお、離散フーリエ変換はＰＵＣＣＨやＰＵＳＣＨのサブキャリア数に応じた高速フーリエ変換でも良い。
【０１０１】
無線送信部２０３５は、多重された信号を逆高速フーリエ変換して、ＳＣ−ＦＤＭＡ方式の変調を行ない、ＳＣ−ＦＤＭＡシンボルを生成し、生成されたＳＣ−ＦＤＭＡシンボルにＣＰを付加し、ベースバンドのディジタル信号を生成する。無線送信部２０３５は、フィルタリング、ＤＡ変換、周波数変換、電力増幅等を用いることで、生成したベースバンドのディジタル信号を所望帯域のアナログ信号に変換する。無線送信部２０３５は、生成したアナログ信号を送受信アンテナ２０５に出力して送信する。
【０１０２】
図５は、多重分離部２０４２と信号検出部２０４３の処理の流れを示す図である。
【０１０３】
Ｓ５０１において、信号検出部２０４３は、端末装置２のＮＡＩＣＳ情報の判定結果がＮＡＩＣＳを指示する旨を示すか否かを判定する。端末装置２のＮＡＩＣＳ情報の判定結果がＮＡＩＣＳを指示する旨を示す場合はＳ５０２へ進み、ＮＡＩＣＳを指示しない旨を示す場合はＳ５０４へ進む。
【０１０４】
Ｓ５０２において、信号検出部２０４３は、端末装置２の干渉除去または抑圧するか否かを示す情報の判定結果が、干渉除去または抑圧を指示するか否かを判定する。干渉除去または抑圧を指示されている場合はＳ５０３へ進み、指示されていない場合はＳ５０４へ進む。
【０１０５】
Ｓ５０３において、信号検出部２０４３は、干渉信号を除去または抑圧し、自端末装置宛の信号の復調、復号を行なう。
【０１０６】
Ｓ５０４において、信号検出部２０４３は、自端末装置宛の信号の復調、復号を行なう。
【０１０７】
なお、本実施形態では、図１に示したように、ユーザ間干渉が生じる通信システムを対象としたが、セル間干渉が生じる通信システムでも良い。セル間干渉が生じる通信システムにおいて、端末装置の受信信号は、自端末装置（第１の端末装置）宛の所望信号と、セル間干渉となる端末装置（第２の端末装置）宛の信号とが含まれる。第１の端末装置と接続する基地局装置は、他の基地局装置と協調し、第２の端末装置の信号を除去または抑圧するための情報（第２の端末装置のレイヤ数、アンテナポート番号、スクランブリングアイデンティティ等）を受け取る。第１の端末装置と接続する基地局装置は、第１の端末装置に対してＮＡＩＣＳを指示するか否かを決定し、ＮＡＩＣＳを指示する場合は、干渉除去または抑圧するか否かを示す情報を含む下りリンク制御情報を第１の端末装置に送信する。端末装置は、上位層処理部２０１から通知されるＮＡＩＣＳ情報の判定結果がＮＡＩＣＳを指示する旨を示し、干渉除去または抑圧するか否かを示す情報の判定結果が干渉除去または抑圧を示す場合に、下りリンク制御情報から端末装置に関するパラメータを把握し、干渉信号を除去または抑圧する。
【０１０８】
このように、本発明の端末装置は、基地局装置と通信する第１の端末装置であって、ＮＡＩＣＳを指示するか否かを示すＮＡＩＣＳ情報を判定する上位層処理部と、前記基地局装置から送信される下りリンク制御情報を受信する受信部と、前記上位層処理部が判定した設定に基づいて、下りリンク制御情報の解釈を変更する制御部と、を備えることを特徴とする。また、前記制御部は、前記上位層処理部で判定されるＮＡＩＣＳ情報の判定結果がＮＡＩＣＳを指示する旨を示し、干渉除去または抑圧するか否かを示す情報の判定結果が干渉除去または抑圧を示す場合に、前記第２の端末装置の通信による干渉を除去または抑圧する。
【０１０９】
また、本発明の基地局装置は、第１の端末装置と通信する基地局装置であって、前記第１の端末装置にＮＡＩＣＳを指示するか否かを示すＮＡＩＣＳ情報を設定する上位層処理部と、前記ＮＡＩＣＳ情報がＮＡＩＣＳを指示する旨を示すか否かに基づいて、下りリンク制御情報のパラメータを変更する制御部と、前記下りリンク制御情報を送信する送信部と、を備える。また、本発明の基地局装置において、前記ＮＡＩＣＳ情報がＮＡＩＣＳを指示する旨を示す場合に、前記下りリンク制御情報に干渉除去または抑圧するか否かを示す情報を含め、前記第１の端末装置に送信する。
【０１１０】
なお、上述した本発明の端末装置は、ＮＡＩＣＳ情報がＮＡＩＣＳを指示する旨を示し、干渉除去または抑圧するか否かを示す情報が干渉除去または抑圧する旨を示す場合、基地局装置が送信する干渉信号の制御情報に基づいて干渉除去を行なうが、基地局装置が制御情報を送信しなかった干渉信号をブラインド検出し、前記ブラインド検出した干渉信号を除去または抑圧しても良い。このようにすると、除去する干渉信号が増加し、スループットを改善することができる。
【０１１１】
上述のような処理を行なうことによって、干渉信号を除去または抑圧するために必要な干渉信号の情報を抑圧することができ、スループットを改善することができる。
【０１１２】
なお、本発明に係る基地局装置及び端末装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ROM、不揮発性メモリカード等）、光記録媒体（例えば、DVD、MO、MD、CD、BD等）、磁気記録媒体（例えば、磁気テープ、フレキシブルディスク等）等のいずれであっても良い。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１１３】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における端末装置および基地局装置の一部、または全部を典型的には集積回路であるＬＳＩとして実現しても良い。受信装置の各機能ブロックは個別にチップ化しても良いし、一部、または全部を集積してチップ化しても良い。各機能ブロックを集積回路化した場合に、それらを制御する集積回路制御部が付加される。
【０１１４】
また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１１５】
なお、本願発明は上述の実施形態に限定されるものではない。本願発明の端末装置は、移動局装置への適用に限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などに適用できることは言うまでもない。
【０１１６】
以上、この発明の実施形態を、図面を参照して詳述してきたが、具体的な構成はこの実施形態に限られるものではなく、この発明の要旨を逸脱しない範囲の設計等も特許請求の範囲に含まれる。
【産業上の利用可能性】
【０１１７】
本発明は、端末装置、基地局装置および通信方法に用いて好適である。【０１１８】
なお、本国際出願は、２０１４年３月２０日に出願した日本国特許出願第２０１４−０５７３５０号に基づく優先権を主張するものであり、日本国特許出願第２０１４−０５７３５０号の全内容を本国際出願に援用する。
【符号の説明】
【０１１９】
１  基地局装置
２Ａ、２Ｂ  端末装置
１−１  カバレッジ
１０１  上位層処理部
１０２  制御部
１０３  送信部
１０４  受信部
１０５  送受信アンテナ
１０１１  無線リソース制御部
１０１２  スケジューリング部
１０１３  ＮＡＩＣＳ情報生成部
１０３１  符号化部
１０３２  変調部
１０３３  下りリンク参照信号生成部
１０３４  多重部
１０３５  無線送信部
１０４１  無線受信部
１０４２  多重分離部
１０４３  復調部
１０４４  復号部
２０１  上位層処理部
２０２  制御部
２０３  送信部
２０４  受信部
２０５  送受信アンテナ
２０１１  無線リソース制御部
２０１２  スケジューリング情報解釈部
２０１３  ＮＡＩＣＳ情報解釈部
２０３１  符号化部
２０３２  変調部
２０３３  上りリンク参照信号生成部
２０３４  多重部
２０３５  無線送信部
２０４１  無線受信部
２０４２  多重分離部
２０４３  信号検出部
【図１】
0006472031.tif 000002
【図２】
0006472031.tif 000003
【図３】
0006472031.tif 000004
【図４】
0006472031.tif 000005
【図５】
0006472031.tif 000006